(57)【要約】      （修正有）【課題】縦糸を織り機にセットする時速く巻取りができる電動糸巻き取り器を提供する。【解決手段】Ｔ台は四角形で糸を巻く時は手前に向けて使用も出来、横において巻くことも出来る。糸巻き機はコントローラーを足で踏み、糸を巻く時は両手で糸の巻き加減をコントロールし、そうする事によってどんな糸巻き駒に巻いても両手の動きでどのようにでも糸を巻き取れる。【選択図】図１
0003129544.tif 000002
【実用新案登録請求の範囲】
【請求項１】
糸巻き取り器。（Ｔ）の上に（７）を固定させる。（Ｍ）の先に（１）を差し込んで（Ｍ）と（１）を直結させ、次に（９）でしっかり止めて回転させる様に（１）に（３）をはめ込む。その後から（Ａ）を入れてしっかり動かない様にする。そして、（２）を垂直に立て（Ｈ）を良く確認して（５）のバネを右の（５）から左の（５）に引っ張りながら留める。そして（３）に糸巻き糸の先端をしっかり結び、次に電動の方に進んで（Ｓ）を差し込み（Ｐ）で電気が入る。
（６４）を（６１）に入れる。そして（Ｋ２）でスピード調節をし、（Ｂ）と（Ｋ２）を確かめ（Ｋ３）をゆっくり踏み込む。これが、電動糸巻き取り器である。
【考案の詳細な説明】
【技術分野】
【０００１】
本新案は、裂き織りをする場合、まず織り機に縦糸をかける作業を行うが、布を織る幅と長さによっては糸がとても長くなり、作業が大変なため、考案したものである。例えば、縦糸が300目、又は500目になる場合、長さを１ｍ織ろうとすると、300目×１ｍで3000ｍの縦糸が必要になる。同じように500目で２ｍ織ろうとすると、縦糸が10000ｍとなる。この様なとても長い縦糸を扱うのにはこれまで通り手動で行うより、電動で行うほうが便利であると考えた次第である。
【背景技術】
【０００２】
従来より、裂き織りをする人が自分一人で糸を巻き取る場合、両手両足を使い大変な作業であった。また、二人では、かせ巻き糸を持つ人と巻く人で別れて糸を巻き取る。その他の場合は図１にある様に台を利用し、台に横穴をあけ巻き棒を通して、片方にハンドル、もう片方に図１の３を入れ、しっかり留めてハンドルを回転させ手動で糸巻きをする。また、別の方法としては、手動式で金物で作った丸いキャーのついた２５cm位の大きさの巻き取り器を用いたり、その他針金ではさんで回している。このように、回転式、その他毛糸巻き器すべてが手動式器である。
【考案の開示】
【考案が解決しようとする課題】
【０００３】
時とともに裂き織りの世界も進歩し、前述したように、金物で作った糸巻き器（直径２５cm位の丸く、歯車式で大と小の歯車を手動で回す巻き取り器）や毛糸を巻き取る道具（１０cm位）や二股に針金で軽く留め二股に糸巻き取り器をはさむ手動式糸取りきがある。そこで本新案は誰でも早く簡単に巻き取れるようにしたものである。
【課題を解決するための手段】
【０００４】
裂き織りは、織り巾が狭い時（50cm位）や、長さが短い時は縦糸が少なくてすむが、巾と長さがあり糸をたくさん使う時は、大変であり時間もかかる。裂き織りをする方々から「速く巻き取れる機械はないものか」との要望が多く、モーターを使って速く回すことを思いついた。試作品を作るにあたっては、台の大きさ、モーターの位置、全体のバランス、スピードとかせくり器と糸の流れなどを考え、試行錯誤の末、電動式糸巻き取り器にたどり着いた。
【考案の効果】
【０００５】
今までは人の手を借りていた作業（糸巻き駒に金物で作ったキャーの付いた、手動式の糸巻き取り器。針金２本付けて二股にした巻取り器に図１の３をはさんだハンドル式手動式の糸巻き取り器を用いて）が、電動糸巻き取り器という便利で簡単で速く糸を巻く糸巻き取り器があれば、特に少人数の作業場では効果が大きく、裂き織りにおいて一番手間のかかる部分が解決し、多くの方に喜ばれると思う次第である。
【考案を実施するための最良の形態】
【０００６】
まず、Ｔ台に大きなモーターを付けて動かすときに全体のバランスはどうか、また振動はどうかを試作品を作って調べてみた。若干の振動があったのでＴにゴム足４ヶを付けたところ全く振動はしなくなった。
台の大きさや糸巻き駒の大きさ、様々な糸巻き駒の形を考え、試作を繰り返した。
また、かせくり器に掛けた、かせ糸がどれ程のスピードで流れてくれば良いのかという点についても考えた。その点、モーターとコントローラーを足で踏み、両手を使って糸巻き駒に巻き取る糸がバランス良く巻き取るには図４にあるように、Ｋ２の調整手段によって速度調整が簡単にできる。ちなみにＭと１の連結コブにある９のボルトを緩めると糸巻き棒がはずれる。また太巻き糸を巻くときはＡを２個糸巻き棒に入れて、それから動かないようにして糸を巻き取る。図１のＡは私が前回糸立て棒装置で出した糸駒保持手段で使った部品である。（特許番号第2944637号）
【０００７】
尚、前記モーター手段Ｍ、糸巻き棒Ｉを、前述した構造に限定されず同様の作用が得ることができれば、他の構造であっても良い。
【図面の簡単な説明】
【０００８】
【図１】同縮小一部切欠正面図である
【図２】同縮小横断、平面図である
【図３】本実用新案の実施例を示す電動糸巻き取り器の一部切欠側面図である
【図４】同縮小のフットコントローラーの正面図。平面図。側面図である
【符号の説明】
【０００９】
１  糸巻き棒
２  糸巻き棒押え
３  糸巻き駒
４  糸巻き棒押えバネ
５  糸巻き棒バネ止め
６  電源差し込み口
７  モーター上げ台
８  糸巻き棒とモーター連結コブ
９  糸巻き棒とモーター連結ボルト
ターミナルボックス
糸巻き駒止め
寝起き金具
Ａ  糸駒保持手段（弾力性あり）
Ｂ  モータースピード調整スイッチ
Ｍ  回転モーター手段
Ｋ  フットコントローラースピード調整手段
Ｔ  糸巻き器台
Ｐ  モーター電源の差し込み
Ｈ  糸立棒穴入
Ｓ  電源コード
【図１】
0003129544.tif 000003
【図２】
0003129544.tif 000004
【図３】
0003129544.tif 000005
【図４】
0003129544.tif 000006
【手続補正書】
【提出日】平成18年12月13日(2006.12.13)
【手続補正１】
【補正対象書類名】実用新案登録請求の範囲
【補正対象項目名】全文
【補正方法】変更
【補正の内容】
【実用新案登録請求の範囲】
【請求項１】
この糸巻き取り器は、糸巻き器台（Ｔ）の上にモーターあげ台（７）を固定させ、回転モーター手段（Ｍ）の先に糸巻き棒（１）を差し込んで、回転モーター手段（Ｍ）と糸巻き棒（１）を直結させ、次に糸巻き棒（１）をモーター連結ボルト（９）で留め、回転させる様に糸巻き棒（１）に糸巻き駒（３）をはめ込み、その後から糸駒保持手段（弾力性あり）（Ａ）を入れて動かない様にし、糸巻き棒押え（２）を垂直に立て糸立棒穴入（Ｈ）を確認しながら、右の糸巻き棒バネ止め（５）に糸巻き棒押えバネ（４）の両端に付いているバネのうち、まずは右側のバネをかけ、左の糸巻き棒バネ止め（５）に糸巻き棒押えバネ（４）の左側のバネを引っ張りながらかけ、そして糸巻き駒（３）に糸巻き糸の先端を結び、電源コード（Ｓ）を差し込みモーター電源の差し込み（Ｐ）で電気を入れ、フットコントローラースピード調節手段（Ｋ）の電源差し込み口（６４）をモーター上げ台（７）の電源差し込み口（６１）に入れてフットコントローラースピード調節手段（Ｋ２）でスピード調節をし、モータースピード調整スイッチ（Ｂ）とフットコントローラースピード調節手段（Ｋ２）を加減し、フットコントローラースピード調節手段（Ｋ３）をゆっくり踏み込み、電気の力でモーターを回す電動糸巻き取り器。